(57)【要約】【課題】優先順位や使用頻度に基づいて、読み取った画像データを送信すべく選択される可能性が高い端末装置を優先して表示し、端末装置の選択を容易にするスキャナー装置を提供する。【解決手段】スキャナー装置１０は、コンピューター５０に対して設定された優先順位、およびコンピューター５０に対する送信頻度の何れか１つに基づき、画像データを受信可能なコンピューター５０を表示する表示順位が降順になるように決定する表示順序決定部２８と、決定した表示順位に基づいて、コンピューター５０に関する情報を表示するＰＣリスト表示部２６と、表示された複数のコンピューター５０の中から、画像データの送信先を選択するＰＣ選択部２４と、を備える。【選択図】図１
2012114690.tif 000002
【特許請求の範囲】
【請求項１】
原稿から読み取った画像データを、通信を介して情報処理装置に送信する画像読取装置であって、
前記情報処理装置に対して設定された優先順位、および前記情報処理装置に対する送信頻度の何れか１つに基づき、前記画像データを受信可能な前記情報処理装置を表示する表示順位が降順になるように決定する決定手段と、
前記決定手段が決定した前記表示順位に基づいて、前記情報処理装置に関する情報を表示する表示手段と、
前記表示手段に表示された複数の前記情報処理装置の中から、前記画像データの送信先を選択する選択手段と、を備えることを特徴とする画像読取装置。
【請求項２】
請求項１に記載の画像読取装置において、
前記優先順位および前記送信頻度は、前記情報処理装置から送信されることを特徴とする画像読取装置。
【請求項３】
請求項１に記載の画像読取装置において、
前記優先順位を設定する設定手段を備えることを特徴とする画像読取装置。
【請求項４】
請求項１乃至３のいずれか１項に記載の画像読取装置において、
前記表示手段は、前記優先順位に基づいて複数の前記情報処理装置を複数のグループに分類し、前記グループ毎に前記情報処理装置に関する情報を表示することを特徴とする画像読取装置。
【請求項５】
請求項１乃至３のいずれか１項に記載の画像読取装置において、
前記表示手段は、前記情報処理装置に対する前記送信頻度が所定の基準を超える場合、前記情報処理装置が前記画像データを受信できる状態か、否かに関係なく前記情報処理装置に関する情報を優先して表示することを特徴とする画像読取装置。
【請求項６】
原稿から読み取った画像データを、通信を介して情報処理装置に送信する画像読取装置の送信先選択方法であって、
前記情報処理装置に対して設定された優先順位、および前記情報処理装置に対する送信頻度の何れか１つに基づき、前記情報処理装置を表示する表示順位が降順になるように決定する決定工程と、
前記決定工程で決定した前記表示順位に基づいて、前記情報処理装置に関する情報を表示する表示工程と、
前記表示工程で表示した複数の前記情報処理装置の中から、前記画像データの送信先を選択する選択工程と、を有することを特徴とする画像読取装置の送信先選択方法。
【発明の詳細な説明】
【技術分野】
【０００１】
本発明は、画像読取装置および画像読取装置の送信先選択方法に関する。
【背景技術】
【０００２】
原稿から読み取った画像データを、ネットワークを介して端末装置へ送信するスキャナー装置が知られている。そのような画像読取装置を制御する方法には次の２つのタイプがある。
一つは、ネットワークを介して端末装置から画像読取装置を制御するタイプ（プルスキャン方式）である。他の一つは、ユーザーがスキャナー装置に備えられた操作部を操作して制御するタイプ（プッシュスキャン方式）である。プルスキャン方式の場合は、端末装置から制御コマンドがスキャナー装置へ送られるので、一般的には、その制御コマンドの送信元の端末装置が画像の送信先となる。他方で、プッシュスキャン方式では、ユーザーがスキャナー装置の操作部から画像データの送信先を指定する必要がある。
プッシュスキャン方式において、ユーザーが画像データの送信先を指定する場合、下記特許文献１に示すように、端末装置から所定の通信信号を送信し、通信信号を受信したスキャナー装置は、送信先として選択可能な端末装置として受信した順序で表示部に表示する。ユーザーは表示部に表示された複数の端末装置の中から所望の端末装置を選択する。
【先行技術文献】
【特許文献】
【０００３】
【特許文献１】特開２００９−５５５１３号公報
【発明の概要】
【発明が解決しようとする課題】
【０００４】
しかしながら、端末装置が通信信号をスキャナー装置に送信するタイミングは一様ではなく、レスポンスが早い端末装置はスキャナー装置の表示部の先頭に表示され、レスポンスが遅い端末装置はスキャナー装置の表示部の最後に順次表示される。従って、例えば、所望の端末装置のレスポンスが遅い端末装置である場合、表示部に表示された端末装置の中から所望の端末装置を検索するのに時間と手間を要した。
そこで本発明は、前記課題に鑑みてなされたものであり、優先順位や使用頻度に基づいて、選択される可能性が高い端末装置を優先して表示し選択を容易にすることを目的とする。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかる画像読取装置は、原稿から読み取った画像データを、通信を介して情報処理装置に送信する画像読取装置であって、前記情報処理装置に対して設定された優先順位、および前記情報処理装置に対する送信頻度の何れか１つに基づき、前記画像データを受信可能な前記情報処理装置を表示する表示順位が降順になるように決定する決定手段と、前記決定手段が決定した前記表示順位に基づいて、前記情報処理装置に関する情報を表示する表示手段と、前記表示手段に表示された複数の前記情報処理装置の中から、前記画像データの送信先を選択する選択手段と、を備えることを特徴とする。
【０００７】
このような構成によれば、優先順位および送信頻度の何れか１つに基づいて、画像データを受信可能な情報処理装置の表示順位が降順になるように決定され、決定された順序に基づいて表示手段に情報処理装置が表示され、表示手段に表示された複数の情報処理装置の中から、画像データの送信先として所望の情報処理装置が選択される。従って、選択可能な情報処理装置は、優先順位および送信頻度の何れかに基づいて降順に表示されることから、優先順位や送信頻度の順位が高いために選択される可能性が高い情報処理装置は、表示手段の先頭から表示されるため、ユーザーは所望の情報処理装置を容易かつ迅速に視認して選択できる。
【０００８】
［適用例２］
上記適用例にかかる画像読取装置において、前記優先順位および前記送信頻度は、前記情報処理装置から送信されても良い。
【０００９】
［適用例３］
上記適用例にかかる画像読取装置において、前記優先順位を設定する設定手段を備えても良い。
【００１０】
［適用例４］
上記適用例にかかる画像読取装置において、前記表示手段は、前記優先順位に基づいて複数の前記情報処理装置を複数のグループに分類し、前記グループ毎に前記情報処理装置に関する情報を表示しても良い。
【００１１】
このような構成によれば、情報処理装置は優先順位に基づいてグループに分類されて表示されるため、所望の情報処理装置を容易に視認して選択できる。
【００１２】
［適用例５］
上記適用例にかかる画像読取装置において、前記表示手段は、前記表示手段は、前記情報処理装置に対する前記送信頻度が所定の基準を超える場合、前記情報処理装置が前記画像データを受信できる状態か、否かに関係なく前記情報処理装置に関する情報を優先して表示することが好ましい。
【００１３】
このような構成によれば、送信頻度が所定の基準を超える情報処理装置は、画像データを受信できない状態であっても優先して表示されるため、送信頻度が高い情報処理装置を容易に視認して選択できる。
【００１４】
［適用例６］
本適用例にかかる画像読取装置の送信先選択方法は、原稿から読み取った画像データを、通信を介して情報処理装置に送信する画像読取装置の送信先選択方法であって、前記情報処理装置に対して設定された優先順位、および前記情報処理装置に対する送信頻度の何れか１つに基づき、前記情報処理装置を表示する表示順位が降順になるように決定する決定工程と、前記決定工程で決定した前記表示順位に基づいて、前記情報処理装置に関する情報を表示する表示工程と、前記表示工程で表示した複数の前記情報処理装置の中から、前記画像データの送信先を選択する選択工程と、を有することを特徴とする。
【００１５】
このような方法によれば、優先順位および送信頻度の何れか１つに基づいて、画像データを受信可能な情報処理装置の表示順位が降順になるように決定され、決定された順序に基づいて情報処理装置が表示され、表示された複数の情報処理装置の中から、画像データの送信先として所望の情報処理装置が選択される。従って、選択可能な情報処理装置は、優先順位および送信頻度の何れかに基づいて降順に表示されることから、優先順位や送信頻度の順位が高いために選択される可能性が高い情報処理装置は、表示手段の先頭から表示されるため、ユーザーは所望の情報処理装置を容易かつ迅速に視認して選択できる。
【図面の簡単な説明】
【００１６】
【図１】本発明の実施形態１に係るスキャナー装置の構成を示す図。
【図２】表示パネルに表示されたＰＣ名称リストの一例を示す図。
【図３】本発明の実施形態２に係るスキャナー装置の構成を示す図。
【図４】表示パネルに表示されたＰＣ名称リストの一例を示す図。
【図５】スキャナー装置において選択可能なＰＣ名称を表示する処理の流れを示すフローチャート。
【発明を実施するための形態】
【００１７】
以下、画像読取装置について図面を参照して説明する。
【００１８】
（実施形態１）
図１は、本発明に係わる画像読取装置の１つであるスキャナー装置１０の構成を示す図である。このスキャナー装置１０は、原稿を読み取り画像データを出力する機能を有する。また、このスキャナー装置１０は、ＬＡＮ（Ｌｏｃａｌ  Ａｒｅａ  Ｎｅｔｗｏｒｋ）等のネットワーク４０を介して、情報処理装置として機能するコンピューター（ＰＣ）５０と通信可能に接続されている。本実施形態１では、コンピューター５０は７台（ＰＣ１，ＰＣ２，ＰＣ３，ＰＣ４，ＰＣ５，ＰＣ６，ＰＣ７）を想定し、ＰＣ１には優先順位Ａ、ＰＣ２には優先順位Ｂ、ＰＣ３には優先順位Ａ・・・のように、順位が高い方からＡ，Ｂ，Ｃの順序で優先順位が予め付与されている。尚、ＰＣ７は優先順位が付与されているが、電源が切られているため、スキャナー装置１０と通信できない。
本実施形態１では、優先順位の情報は、コンピューター５０上での設定を想定するが、これには限定されず、スキャナー装置１０側で優先順位を設定し、優先順位の情報を保持する様態でも良い。
【００１９】
また、コンピューター５０の内部には、図示は略すが、各種データを記憶するハードディスク等で構成された記憶部が設けられ、この記憶部には、自身の優先順位の情報、コンピューター名（ＰＣ名）およびネットワーク４０のＩＰアドレス情報等が記憶されている。コンピューター５０は、スキャナー装置１０から検索信号を受信した場合、記憶部から優先順位の情報、ＰＣ名およびＩＰアドレス情報等を読み出し、読み出した情報を応答信号としてスキャナー装置１０に送信するように命令されている。また、コンピューター５０は、スキャナー装置１０から送信された画像のデータを受信した場合、記憶部に記憶し、所定のアプリケーションプログラムが記憶された画像のデータを読み込む。
【００２０】
スキャナー装置１０は、図示を略したプラテンガラス上に載置、あるいはプラテンガラス上を搬送される原稿からスキャン動作によって図形や写真または文字などを読み取って、電子データ（画像データ）に変換する。
本実施形態１では、スキャナー装置１０は、制御部１２、画像読み取り部１４、画像処理部１６、ＰＣ検索部１８、通信部２０および送信先選択部２２を備え、プッシュスキャン機能を有する。
制御部１２は、図示を略すが、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）およびＣＰＵ（Ｃｅｎｔｒａｌ  Ｐｒｏｃｅｓｓｉｎｇ  Ｕｎｉｔ）をハードウェアとして備え、これらのハードウェアと種々のソフトウェアとが有機的に協働することで各機能部の動作を制御する。
【００２１】
画像読み取り部１４は、何れも図示を略した、照明ランプ、光学系、ＣＣＤ（Ｃｈａｒｇｅ  Ｃｏｕｐｌｅｄ  Ｄｅｖｉｃｅ）等で構成される。読み取り方式は限定されるものではなく、原稿固定走査を行うフラットベッド方式であっても良く、また、原稿移動走査を行うＡＤＦ（オートドキュメントフィーダー）方式であっても良い。この画像読み取り部１４は、制御部１２から送られるスキャン指示に基づき、所定の位置にセットされた原稿に対してスキャン処理を行って、画像データをライン単位に読み取る。読み取った画像データは、画像処理部１６に送られる。
【００２２】
画像処理部１６は、画像読み取り部１４が読み取った画像データを、例えば、色変換データとしてＣＭＹＫデータのような所定の形式に変換する。変換されたデータは通信部２０に送られ、送信先選択部２２で選択されたコンピューター５０に送信される。
ＰＣ検索部１８は、ネットワーク４０に接続されたコンピューター５０の中から、プッシュスキャンに対応するコンピューター５０を検索する。本実施形態１では、ＰＣ検索部１８は、ネットワーク４０に接続されたコンピューター５０に対して、プッシュスキャンに対応する場合、優先順位、ＰＣ名称およびＩＰアドレス情報等の応答を要求する検索信号を生成し、生成した検索信号を通信部２０からブロードキャストする。また、ＰＣ検索部１８は、通信部２０がコンピューター５０からの応答信号を受信した場合、応答信号から優先順位、ＰＣ名称およびＩＰアドレス情報を抽出し、抽出した情報を送信先選択部２２に送る。この場合、コンピューター５０が応答信号を送信するタイミングは一様ではないので、レスポンスが遅いコンピューター５０からの受信を一定時間の間待つ必要がある。
送信先選択部２２は、ＰＣ選択部２４、ＰＣリスト表示部２６および表示順序決定部２８を備え、ユーザーに対して画像データの送信先を選択させる機能を有する。
【００２３】
表示順序決定部２８は、ＰＣ検索部１８から送られる優先順位に基づいて、ＰＣリスト表示部２６に表示する順序を降順、即ち、優先順位が高い方が先頭となるように決定し、決定した順序に従いＰＣ名称をグループ化する（決定手段）。グループ化したＰＣ名称はＰＣリスト表示部２６に送られる。また、ＰＣリスト表示部２６にＰＣ名称を送信した後、ＰＣ検索部１８がレスポンスの遅いコンピューター５０の情報を更に取得した場合、取得したＰＣ名称をＰＣリスト表示部２６に送る。
ＰＣリスト表示部２６は、表示順序決定部２８が決定したＰＣ名称のグループ化情報に従い、ＰＣ名称を優先順位のグループ毎に表示する（表示手段）。本実施形態１では、ＰＣリスト表示部２６は、スキャナー装置１０に配置された表示パネルに選択可能なＰＣ名称のリストを表示する。また、ＰＣ選択部２４は、表示パネルに設置されたタッチパネルを想定し、ＰＣ名称のリストの中からユーザーが所望のＰＣ名称をタッチすることで選択される（選択手段）。
【００２４】
図２は、表示パネルに表示されたＰＣ名称リスト（６０Ａ〜６０Ｃ）の一例を示す。本実施形態１では、最初に、優先順位が最も高い（優先順位：Ａ）ＰＣ名称リスト６０Ａが表示される。ここで、ＰＣ７は、優先順位がＡであるが、電源が切られているため応答信号を送信しない。従って、ＰＣ名称リスト６０Ａには表示されない。
このＰＣ名称リスト６０Ａは、想定されるＰＣ名称の最大数に応じて表示可能なＰＣ名称の個数が決められる。本実施形態では、３個までのＰＣ名称を表示できる。尚、ＰＣ名称リスト６０Ａは、優先順位毎にＰＣ名称を表示するため、ＰＣ名称が更に表示可能であっても優先順位が異なるＰＣ名称を表示しない。また、ＰＣ名称が追加で送られてきた場合、優先順位に応じたＰＣ名称リスト（６０Ａ〜６０Ｃ）の最後に追加して表示する。
ここで、ＰＣ名称リスト６０Ａに表示された「ＰＣ１」または「ＰＣ３」の領域がユーザーによりタッチされた場合は、タッチされたコンピューター５０が選択されたと判断される。また、「次」ボタンがタッチされた場合は、優先順位が次に高い（優先順位：Ｂ）ＰＣ名称リスト６０Ｂが表示される。
【００２５】
ここで、ＰＣ名称リスト６０Ｂに表示された「ＰＣ２」または「ＰＣ４」または「ＰＣ６」の領域がユーザーによりタッチされた場合は、タッチされたコンピューター５０が選択されたと判断される。また、「次」ボタンがタッチされた場合は、優先順位が最も低い（優先順位：Ｃ）ＰＣ名称リスト６０Ｃが表示される。
ここで、ＰＣ名称リスト６０Ｃに表示された「ＰＣ５」の領域がユーザーによりタッチされた場合は、タッチされたコンピューター５０が選択されたと判断される。また、「次」ボタンがタッチされた場合は、最初のリストに戻り、優先順位が最も高い（優先順位：Ａ）ＰＣ名称リスト６０Ａが表示される。尚、ＰＣ名称リスト（６０Ａ〜６０Ｃ）における「次」ボタンの位置は同一であるため、所望のコンピューター５０の優先順位が最も低い場合、ユーザーは最初のＰＣ名称リスト６０Ｂで「次」ボタンを２回タッチすることで、優先順位が最も低い（優先順位：Ｃ）ＰＣ名称リスト６０Ｃを表示させることができる。
ＰＣ名称リスト（６０Ａ〜６０Ｃ）の中から選択されたコンピューター５０の情報は制御部１２に送られる。制御部１２は、画像読み取り部１４が読み取り、画像処理部１６が所定の形式に変換したデータを、選択されたコンピューター５０に送信する。
【００２６】
以上述べた実施形態１によれば、以下のような効果を奏する。
（１）スキャナー装置１０でプッシュスキャンを行って画像データの送信先を選択するべく、画像データを受信可能なコンピューター５０をスキャナー装置１０に表示させる場合、コンピューター５０に予め設定された優先順位毎にＰＣ名称を並べたリストを表示するため、検索信号に対してレスポンスが遅いコンピューター５０であっても優先順位毎のリストに追加表示される。従って、ユーザーは所望のコンピューター５０を容易に見つけて選択できる。
【００２７】
（実施形態２）
次に、本発明の実施形態２について、図３、図４および図５を参照して説明する。尚、以下の説明では、既に説明した部分と同じ部分については、同一符号を付してその説明を省略する。
実施形態１では、コンピューター５０に付与された優先順位に基づいてＰＣ名称リスト（６０Ａ〜６０Ｃ）を作成したが、本実施形態２では、画像データの送信先としてのコンピューター５０の使用頻度（送信頻度）が降順、即ち、使用頻度が高い方が先頭となるようにＰＣ名称リストを作成する。
【００２８】
図３はスキャナー装置１０の構成を示す図である。このスキャナー装置１０は、制御部１２、画像読み取り部１４、画像処理部１６、ＰＣ登録部３０、ＰＣ検索部１８Ｂ、通信部２０、ＰＣ情報記憶部３２および送信先選択部２２を備え、プッシュスキャン機能を有する。送信先選択部２２は、ＰＣ選択部２４、ＰＣリスト表示部２６Ｂおよび表示順序決定部２８Ｂを備え、ユーザーに対して画像データの送信先を選択させる機能を有する。
また、本実施形態２では、コンピューター５０は７台（ＰＣ１，ＰＣ２，ＰＣ３，ＰＣ４，ＰＣ５）を想定する。尚、ＰＣ２とＰＣ４は電源が切られているため、スキャナー装置１０と通信できない。
ＰＣ登録部３０は、使用頻度が高いコンピューター５０を登録する（設定手段）。この場合、スキャナー装置１０からプッシュスキャンの送信先として選択された回数を保持し、基準となる所定の回数を越えた場合に、使用頻度が高いコンピューター５０として登録しても良く、ユーザーがコンピューター５０の中から使用頻度が高いコンピューター５０を選択して登録しても良い。本実施形態２では、ＰＣ１およびＰＣ２が登録されている。使用頻度が高いと登録された情報は、ＰＣ情報記憶部３２に記憶され、送信先選択部２２から参照される。
尚、本実施形態２では、使用頻度に関する情報はスキャナー装置１０に保持されているが、これには限定されず、プッシュスキャンの画像データが送信される回数に基づいて、コンピューター５０自身で使用頻度が高いか、否かを判定する様態でも良い。また、使用頻度は「高い」か、否かの２分類に限定されず、所定の回数に応じて複数の段階に分類しても良い。
【００２９】
ＰＣ検索部１８Ｂは、ネットワーク４０に接続されたコンピューター５０を検索する。本実施形態２では、ＰＣ検索部１８は、ネットワーク４０に接続されたコンピューター５０に対してＰＣ名称およびＩＰアドレス情報等の応答を要求する信号を生成し、生成した信号を通信部２０からブロードキャストする。また、ＰＣ検索部１８Ｂは、通信部２０がコンピューター５０からの応答信号を受信した場合、応答信号からＰＣ名称およびＩＰアドレス情報を抽出し、抽出した情報を送信先選択部２２に送る。この場合においても、コンピューター５０が応答信号を送信するタイミングは一様ではないので、レスポンスが遅いコンピューター５０からの受信を一定時間の間待つ必要がある。
表示順序決定部２８Ｂは、ＰＣ情報記憶部３２に記憶されている使用頻度が高いコンピューター５０の情報に基づいて、ＰＣリスト表示部２６Ｂに表示する順序を決定し、決定した順序に従いＰＣ名称を序列化する。序列化を行う場合、最初に、使用頻度が所定の基準を超えるコンピューター５０のＰＣ名称を序列の最上位に設定する。この場合、コンピューター５０の電源投入の有無に係わりなく設定する。即ち、本実施形態２ではＰＣ１とＰＣ２が最上位に設定される。このようにして序列化したＰＣ名称は、ＰＣリスト表示部２６Ｂに送られる。
【００３０】
次に、ＰＣ検索部１８からＰＣ名称およびＩＰアドレス情報が送られた順序でＰＣ名称を並べる。この場合、使用頻度が高いコンピューター５０として既に序列化されている場合には、重複を避けるべく除外される。このようにして序列化したＰＣ名称は、ＰＣリスト表示部２６Ｂに送られる。また、ＰＣリスト表示部２６ＢにＰＣ名称を送信した後、ＰＣ検索部１８Ｂがレスポンスの遅いコンピューター５０の情報を更に取得した場合、取得したＰＣ名称をＰＣリスト表示部２６Ｂに送る。
ＰＣリスト表示部２６Ｂは、表示順序決定部２８Ｂが決定したＰＣ名称の序列化情報に従い、ＰＣ名称を表示する。図４は、表示パネルに表示されたＰＣ名称リスト（６０Ｄ，６０Ｅ）の一例を示す。即ち、最初に送られたＰＣ名称に基づいて、ＰＣ名称リスト６０Ｄが表示される。この場合、使用頻度が高いコンピューター５０として「ＰＣ１」と「ＰＣ２」がＰＣ名称リスト６０Ｄに表示される。
【００３１】
次に、ＰＣ検索部１８の検索結果に基づいて送られるＰＣ名称に基づいて、ＰＣ名称リスト６０Ｅが表示される。即ち、最初に、検索信号に対してレスポンスが速い「ＰＣ３」が、ＰＣ名称リスト６０Ｄで表示された「ＰＣ１」と「ＰＣ２」の次に追加され、続いて、検索信号に対してレスポンスが遅い「ＰＣ５」が「ＰＣ３」の次に追加され、ＰＣ名称リスト６０Ｅが表示される。
ここで、ＰＣ名称リスト６０Ｅに表示された「ＰＣ１」、「ＰＣ２」、「ＰＣ３」および「ＰＣ５」の何れかの領域がユーザーによりタッチされた場合は、タッチされたコンピューター５０が選択されたと判断される。但し、「ＰＣ２」が選択された場合は、ＰＣ２と通信が不可能な状態であるため、画像データを送信できない旨のメッセージを表示する。
【００３２】
次に、図５はスキャナー装置１０において選択可能なＰＣ名称を表示する処理の流れを示すフローチャートである。
この処理が開始されると、制御部１２は、使用頻度が高いコンピューター５０として登録されているＰＣ情報を取得する（ステップＳ１００）。
次に、制御部１２は、取得したＰＣ情報に含まれるＰＣ名称をリストの上位、即ち、先頭領域に表示する（ステップＳ１０２）。
続いて、制御部１２は、ネットワーク４０に接続されているコンピューター５０に対して、プッシュスキャンに対応するコンピューター５０を検出するための検出信号を送信する（ステップＳ１０４）。
【００３３】
次に、制御部１２は、コンピューター５０から応答信号による応答を受信したか、否かを判定し（ステップＳ１０６）、コンピューター５０からの応答を受信していないと判定した場合（ステップＳ１０６でＮｏ）、ステップＳ１１４に進む。
他方で、コンピューター５０からの応答を受信したと判定した場合（ステップＳ１０６でＹｅｓ）、制御部１２は、受信したデータからＰＣ名称とＩＰアドレスを抽出して取得する（ステップＳ１０８）。
次に、制御部１２は、ＰＣ名称とＩＰアドレスから、既にリストに表示されているＰＣか、否かを判定する（ステップＳ１１０）。
ここで、リストに表示されているＰＣではないと判定した場合（ステップＳ１１０でＮｏ）、制御部１２は、ＰＣ名称をリストの最後に追加して表示する（ステップＳ１１２）。
【００３４】
他方で、リストに表示されているＰＣであると判定した場合（ステップＳ１１０でＹｅｓ）、ステップＳ１１４に進む。
ステップＳ１１４では、ステップＳ１０４で検出信号を送信してからの時間を計測し、タイムアウトか、否かを判定する（ステップＳ１１４）。
ここで、タイムアウトに該当しないと判定した場合（ステップＳ１１４でＮｏ）、ステップＳ１０６に戻り、タイムアウトに該当すると判定した場合（ステップＳ１１４でＹｅｓ）、一連の処理を終了する。一連の処理が終了後、ユーザーはリストに表示されたコンピューター５０の中から所望のコンピューター５０を選択する。
【００３５】
以上述べた実施形態２によれば、以下のような効果を奏する。
（２）スキャナー装置１０でプッシュスキャンを行って画像データの送信先を選択するべく、画像データを受信可能なコンピューター５０をスキャナー装置１０に表示させる場合、使用頻度が高いコンピューター５０が最初に表示され、続いて、検索信号に対してレスポンスを返したコンピューター５０が順次リストに追加表示されることから、ユーザーは所望のコンピューター５０を容易に見つけて選択できる。
また、以上のような手法を実施する装置は、単独の装置によって実現される場合もあれば、複数の装置を組み合わせることによって実現される場合もあり、各種の態様を含むものである。
また、本実施形態１および２では、画像読取装置として単機能のスキャナー装置１０を想定したが、画像読取機能、コピー機能および印刷機能を備えた複合機の様態でも良い。また、情報処理装置はコンピューター５０には限定されず、ネットワーク４０と接続可能な携帯情報端末や種々の電子装置であっても良い。
【符号の説明】
【００３６】
１０…スキャナー装置、１２…制御部、１４…画像読み取り部、１６…画像処理部、１８，１８Ｂ…ＰＣ検索部、２０…通信部、２２…送信先選択部、２４…ＰＣ選択部、２６，２６Ｂ…ＰＣリスト表示部、２８，２８Ｂ…表示順序決定部、３０…ＰＣ登録部、３２…ＰＣ情報記憶部、４０…ネットワーク、５０…コンピューター、６０Ａ，６０Ｂ，６０Ｃ，６０Ｄ，６０Ｅ…ＰＣ名称リスト。
【図１】
2012114690.tif 000003
【図２】
2012114690.tif 000004
【図３】
2012114690.tif 000005
【図４】
2012114690.tif 000006
【図５】
2012114690.tif 000007